(57)【要約】【課題】より実用的なスクリーン印刷ライン，印刷方法を提供する。【解決手段】２台の印刷機１０を左右に並べて配設し、それらの下流側に４台の装着機１４を配設し、隣接する印刷機１０の間と下流印刷機１０の下流側とにシャトルコンベヤ１２を配設する。印刷機１０は前，後コンベヤ２２，２４を備え、前コンベヤ２２のメインコンベヤ５０において回路基板にはんだが印刷される。上流可動コンベヤ１５２は隣接する印刷機１０の各コンベヤ２２，２４に連なる位置へ移動し、下流可動コンベヤ１５２は印刷機１０，装着機１４の各コンベヤ２２，２４，２４０に連なる位置へ移動して回路基板の授受を行う。２台の印刷機１０に異なるマスクを取り付け、同一型番の回路基板の表面と裏面とへのはんだの印刷を並行して行い、あるいは同一のマスクを取り付け、回路基板の表面へのはんだの印刷を並行して行うことができる。印刷機１０は３台あるいは４台並べてもよい。【選択図】図６
2011235584.tif 000002
【特許請求の範囲】
【請求項１】
左右に並んで配設され、それぞれ回路基板にスクリーン印刷を行う複数台のスクリーン印刷機と、それらスクリーン印刷機のうちの互いに隣接するものである隣接スクリーン印刷機の間に配設されて回路基板を中継する１台以上のシャトルコンベヤとを含むスクリーン印刷ラインであって、
前記複数台のスクリーン印刷機の各々が、基板支持装置を有して各スクリーン印刷機の前部に設けられた前コンベヤと、各スクリーン印刷機の後部に設けられて回路基板の通過を許容する後コンベヤと、前記基板支持装置に支持された回路基板にスクリーン印刷を行う印刷装置とを含み、前記１台以上のシャトルコンベヤの各々が、前記隣接スクリーン印刷機の少なくとも前記前コンベヤに連なる位置と前記後コンベヤに連なる位置との間で移動可能な可動コンベヤを含むことを特徴とするスクリーン印刷ライン。
【請求項２】
前記複数台のスクリーン印刷機が２台のスクリーン印刷機である請求項１に記載のスクリーン印刷ライン。
【請求項３】
前記シャトルコンベヤが、前記前コンベヤとの間で回路基板の授受を行う位置よりさらに前へ前記可動コンベヤを移動させ得る構成を有する請求項１または２に記載のスクリーン印刷ライン。
【請求項４】
請求項２に記載のスクリーン印刷ラインにより行うスクリーン印刷方法であって、
前記２台のスクリーン印刷機の各々に互いに同一であるマスクを取り付け、それら２台のスクリーン印刷機において同じ型番の回路基板の同じ側の面への印刷を並行して行うことを特徴とするスクリーン印刷方法。
【請求項５】
請求項２に記載のスクリーン印刷ラインにより行うスクリーン印刷方法であって、
前記２台のスクリーン印刷機の各々に互いに異なるマスクを取り付け、それら２台のスクリーン印刷機において互いに型番を異にする回路基板への印刷、または互いに同一の型番の回路基板の表面と裏面とへの印刷を並行して行うことを特徴とするスクリーン印刷方法。
【請求項６】
左右に並んで配設され、それぞれ回路基板にスクリーン印刷を行う３台のスクリーン印刷機と、それらスクリーン印刷機のうちの互いに隣接するものである隣接スクリーン印刷機の間に配設されて回路基板を中継する２台のシャトルコンベヤとを含み、前記３台のスクリーン印刷機の各々が、基板支持装置を有して各スクリーン印刷機の前部に設けられた前コンベヤと、各スクリーン印刷機の後部に設けられて回路基板の通過を許容する後コンベヤと、前記基板支持装置に支持された回路基板にスクリーン印刷を行う印刷装置とを含み、前記２台のシャトルコンベヤの各々が、前記隣接スクリーン印刷機の少なくとも前記前コンベヤに連なる位置と前記後コンベヤに連なる位置との間で移動可能な可動コンベヤを含むスクリーン印刷ラインにより行うスクリーン印刷方法であって、
前記３台のスクリーン印刷機の各々に互いに異なるマスクを取り付け、それら３台のスクリーン印刷機において互いに型番を異にする３種類の回路基板への印刷を並行して行うことを特徴とするスクリーン印刷方法。
【請求項７】
左右に並んで配設され、それぞれ回路基板にスクリーン印刷を行う４台のスクリーン印刷機と、それらスクリーン印刷機のうちの互いに隣接するものである隣接スクリーン印刷機の間に配設されて回路基板を中継する３台のシャトルコンベヤとを含み、前記４台のスクリーン印刷機の各々が、基板支持装置を有して各スクリーン印刷機の前部に設けられた前コンベヤと、各スクリーン印刷機の後部に設けられて回路基板の通過を許容する後コンベヤと、前記基板支持装置に支持された回路基板にスクリーン印刷を行う印刷装置とを含み、前記３台のシャトルコンベヤの各々が、前記隣接スクリーン印刷機の少なくとも前記前コンベヤに連なる位置と前記後コンベヤに連なる位置との間で移動可能な可動コンベヤを含むスクリーン印刷ラインにより行うスクリーン印刷方法であって、
前記４台のスクリーン印刷機の２台ずつに互いに同一のマスクを取り付け、それら２台ずつのスクリーン印刷機において、互いに型番を異にする回路基板への印刷、または互いに同一の型番の回路基板の表面と裏面とへの印刷を並行して行うことを特徴とするスクリーン印刷方法。
【発明の詳細な説明】
【技術分野】
【０００１】
本発明は、複数台のスクリーン印刷機を含むスクリーン印刷ラインおよびそのスクリーン印刷ラインにおいて行われるスクリーン印刷方法に関するものである。
【背景技術】
【０００２】
スクリーン印刷機は、下記の特許文献１に記載されているように、印刷装置および基板搬送支持装置を備え、スクリーン印刷機内に回路基板が搬入され、被印刷剤が印刷される。印刷後、回路基板はスクリーン印刷機から搬出され、回路基板に作業を行う対基板作業機に供給される。
【先行技術文献】
【特許文献】
【０００３】
【特許文献１】特開２００７−１５３０７号公報
【発明の概要】
【発明が解決しようとする課題】
【０００４】
しかし、近年、スクリーン印刷機から対基板作業機への回路基板の供給が間に合わない事態が発生するようになった。例えば、対基板作業機の一種である電子回路部品装着機を複数台含む電子回路部品装着ラインにおいて、回路基板への電子回路部品の装着サイクルタイムの短縮が図られており、装着サイクルタイムが回路基板への被印刷剤の印刷サイクルタイムより短くなれば、回路基板の供給が間に合わなくなるのである。
そこで、本出願人は、１つの電子回路部品装着ラインに対してスクリーン印刷機を２台設けることを考えた。各スクリーン印刷機を前部と後部とに２台のコンベヤを備えたものとし、一方のスクリーン印刷機では前部のコンベヤに基板支持装置を設け、他方のスクリーン印刷機では後部のコンベヤに基板支持装置を設けるのである。２台のスクリーン印刷機にはコンベヤを前同士，後同士で連なる状態で設け、回路基板の搬送方向において上流側のスクリーン印刷機の基板支持装置が設けられたコンベヤに供給された回路基板は、基板支持装置により支持されて印刷装置により被印刷剤が印刷され、下流側のスクリーン印刷機の基板支持装置が設けられていないコンベヤにより搬送されて電子回路部品装着ラインに供給されるようにする。また、上流側のスクリーン印刷機の基板支持装置が設けられていないコンベヤに供給された回路基板は、そのスクリーン印刷装置を通過して下流側のスクリーン印刷機の基板支持装置が設けられたコンベヤへ搬入され、被印刷剤が印刷された後、電子回路部品装着ラインに供給されるようにする。このように２台のスクリーン印刷機によってスクリーン印刷ラインを構成すれば、対基板作業ラインへの回路基板の供給サイクルタイムを短縮し得るのであるが、実用上、未だ十分とは言えない点があることが判明した。
本発明は、以上の事情を背景として為されたものであり、より実用的なスクリーン印刷ラインおよびスクリーン印刷方法の提供を課題とする。
【課題を解決するための手段】
【０００５】
上記の課題は、スクリーン印刷ラインを、左右に並んで配設され、それぞれ回路基板にスクリーン印刷を行う複数台のスクリーン印刷機と、それらスクリーン印刷機のうちの互いに隣接するものである隣接スクリーン印刷機の間に配設されて回路基板を中継する１台以上のシャトルコンベヤとを含むものとし、かつ、複数台のスクリーン印刷機の各々を、基板支持装置を有して各スクリーン印刷機の前部に設けられた前コンベヤと、各スクリーン印刷機の後部に設けられて回路基板の通過を許容する後コンベヤと、前記基板支持装置に支持された回路基板にスクリーン印刷を行う印刷装置とを含むものとするとともに、前記１台以上のシャトルコンベヤの各々を、前記隣接スクリーン印刷機の少なくとも前コンベヤに連なる位置と後コンベヤに連なる位置との間で移動可能な可動コンベヤを含むものとすることにより解決される。
【０００６】
本発明により、互いに同一であるマスクを取り付けた２台のスクリーン印刷機において同じ型番の回路基板の同じ側の面への印刷を並行して行う方法も得られ、互いに異なるマスクを取り付けた２台のスクリーン印刷機において互いに型番を異にする回路基板への印刷、または互いに同一の型番の回路基板の表面と裏面とへの印刷を並行して行う方法も得られ、この印刷を、４台のスクリーン印刷機の２台ずつに互いに同一のマスクを取り付け、それら２台ずつのスクリーン印刷機において行う方法も得られ、互いに異なるマスクを取り付けた３台のスクリーン印刷機において互いに型番を異にする３種類の回路基板への印刷を並行して行う方法も得られる。
【発明の効果】
【０００７】
以上のように構成されたスクリーン印刷ラインにおいては、複数台のスクリーン印刷機のいずれについても前コンベヤに基板支持装置が設けられ、前部において印刷が行われるが、隣接するスクリーン印刷機の間にシャトルコンベヤが設けられているため、上流側のスクリーン印刷機において印刷の済んだ回路基板は下流側のスクリーン印刷機の後コンベヤによりその下流側のスクリーン印刷機を通過させられ、印刷の済んでいない回路基板は下流側のスクリーン印刷機の前コンベヤに搬入されて被印刷剤が印刷されるようにすることができ、複数台のスクリーン印刷機に並行して印刷を行わせることができる。したがって、本発明に係るスクリーン印刷ラインによれば、複数台のスクリーン印刷機によって印刷が並行して行われることによる効果が得られる上、複数台のスクリーン印刷機のいずれにおいても前部に基板支持装置および印刷装置が設けられるため、作業者はそれら装置に容易にアクセスすることができ、段取替え，清掃，被印刷剤の補給等の作業を容易に行うことができる。
【発明の態様】
【０００８】
以下に、本願において特許請求が可能と認識されている発明（以下、「請求可能発明」という場合がある。請求可能発明は、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載，実施形態の記載，従来技術，技術常識等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【０００９】
なお、以下の各項において、（１）項が請求項１に相当し、（２）項が請求項２に、（７）項が請求項３に、（１１）項が請求項４に、（１２）項が請求項５に、（１３）項が請求項６に、（１４）項が請求項７にそれぞれ相当する。
【００１０】
（１）左右に並んで配設され、それぞれ回路基板にスクリーン印刷を行う複数台のスクリーン印刷機と、それらスクリーン印刷機のうちの互いに隣接するものである隣接スクリーン印刷機の間に配設されて回路基板を中継する１台以上のシャトルコンベヤとを含むスクリーン印刷ラインであって、
前記複数台のスクリーン印刷機の各々が、基板支持装置を有して各スクリーン印刷機の前部に設けられた前コンベヤと、各スクリーン印刷機の後部に設けられて回路基板の通過を許容する後コンベヤと、前記基板支持装置に支持された回路基板にスクリーン印刷を行う印刷装置とを含み、前記１台以上のシャトルコンベヤの各々が、前記隣接スクリーン印刷機の少なくとも前記前コンベヤに連なる位置と前記後コンベヤに連なる位置との間で移動可能な可動コンベヤを含むことを特徴とするスクリーン印刷ライン。
（２）前記複数台のスクリーン印刷機が２台のスクリーン印刷機である(1)項に記載のスクリーン印刷ライン。
簡単な構成で(1)項に記載の発明の効果を有効に享受することができる。例えば、必要に応じて同種あるいは異種の印刷を並行して行うことができ、(a)印刷能率の向上，(b)印刷剤が印刷された異種の回路基板の供給可能、(c)印刷中断によるスクリーン印刷機からの基板供給中断の回避の少なくとも１つの効果が得られる。
（３）前記複数台のスクリーン印刷機が３台のスクリーン印刷機であり、それら３台のスクリーン印刷機のうちの前記隣接スクリーン印刷機の間に前記シャトルコンベヤが１台ずつ配設された(1)項に記載のスクリーン印刷ライン。
スクリーン印刷機の数が多いほど、供給能率の大幅な向上や、印刷態様の多様化を図ることが容易となる。
（４）前記複数台のスクリーン印刷機が４台のスクリーン印刷機であり、それら４台のスクリーン印刷機のうちの前記隣接スクリーン印刷機の間に前記シャトルコンベヤが１台ずつ配設された(1)項に記載のスクリーン印刷ライン。
（５）前記複数台のスクリーン印刷機のうちの最上流のものである最上流スクリーン印刷機の上流側に前記シャトルコンベヤが配設された(1)項ないし(4)項のいずれかに記載のスクリーン印刷ライン。
最上流スクリーン印刷機の前コンベヤと後コンベヤとに選択的に回路基板を供給することができる。
（６）前記複数台のスクリーン印刷機のうちの最下流のものである最下流スクリーン印刷機の下流側に前記シャトルコンベヤが配設された(1)項ないし(5)項のいずれかに記載のスクリーン印刷ライン。
スクリーン印刷ラインの下流側に配設される装置がコンベヤを１レーンのみ含む場合は勿論、スクリーン印刷ラインの下流側に配設される装置が前コンベヤと後コンベヤとの２レーンを含む場合であっても、それら両コンベヤの少なくとも一方の前後方向の位置と、スクリーン印刷機の前コンベヤと後コンベヤとの少なくとも一方の前後方向の位置とが互いに異なる場合に有効である。シャトルコンベヤは、最下流のスクリーン印刷機の前，後コンベヤおよび下流側に配設される装置の前，後コンベヤの全部に対応する位置へ可動コンベヤが移動可能な構成とされることが望ましい。
（７）前記シャトルコンベヤが、前記前コンベヤとの間で回路基板の授受を行う位置よりさらに前へ前記可動コンベヤを移動させ得る構成を有する(1)項ないし(6)項のいずれかに記載のスクリーン印刷ライン。
作業者は可動コンベヤに対する作業、例えば、回路基板に対する印刷状態の点検や、回路基板の抜出しや、可動コンベヤの保守，点検を可動コンベヤの近くで行うことができ、作業が容易となる。
（８）前記前コンベヤが、(a)前記基板支持装置を有するメインコンベヤと、(b)そのメインコンベヤの上流側に配設されて回路基板を前記スクリーン印刷機に搬入するインコンベヤと前記メインコンベヤの下流側に配設されて回路基板を前記スクリーン印刷機から搬出するアウトコンベヤとの少なくとも一方とを含む(1)項ないし(7)項のいずれかに記載のスクリーン印刷ライン。
回路基板をインコンベヤにより前コンベヤの基板支持装置近くまで搬入し、印刷が可能な状態になれば、直ちに基板支持装置に搬入し、支持させて印刷を行うことができ、あるいは、印刷の済んだ回路基板をアウトコンベヤにおいて搬出に備えて待機させておくことができ、それによって、回路基板の搬入，搬出に要する時間を短縮し、スクリーン印刷機の稼働率を向上させることができる。
（９）前記インコンベヤと前記アウトコンベヤとの少なくとも一方が、(a)その少なくとも一方の搬送幅方向を長手方向とするストッパ板と、(b)そのストッパ板を、前記少なくとも一方の搬送経路内に位置して回路基板に当接可能な作用位置と、前記搬送経路から退避して回路基板の通過を許容する退避位置とに移動させるストッパ板移動装置とを含む(8)項に記載のスクリーン印刷ライン。
インコンベヤやアウトコンベヤにおける回路基板の停止位置精度はメインコンベヤのそれに比較して低くて差し支えないのが普通である。その事実を利用して、回路基板が搬送幅方向において長くストッパ板に当接し、安定して停止するようにすること、あるいは、回路基板の搬送方向における下流側の端縁が単純な直線ではない場合でもストッパ装置の調節を行う必要がないようにすることができる。
本項に記載の特徴は(1)項ないし(7)項のいずれかに記載の特徴とは別個に採用することができる。
（１０）前記インコンベヤと前記アウトコンベヤとの前記少なくとも一方が、前記ストッパ板に回路基板が当接した状態でその回路基板が前記少なくとも一方の上流側の端からさらに上流側へ突出することを許容する構成とされた(9)項に記載のスクリーン印刷ライン。
インコンベヤとアウトコンベヤとの少なくとも一方を搬送方向においてコンパクトに構成することができる。
（１１）(2)項に記載のスクリーン印刷ラインにより行うスクリーン印刷方法であって、
前記２台のスクリーン印刷機の各々に互いに同一であるマスクを取り付け、それら２台のスクリーン印刷機において同じ型番の回路基板の同じ側の面への印刷を並行して行うことを特徴とするスクリーン印刷方法。
本項に記載の方法によれば、回路基板の表裏一方の面についてのサイクルタイムを半減させることができる。また、一方のスクリーン印刷機において印刷が中断されても、他方のスクリーン印刷機において印刷が行われるため、表裏一方の面に被印刷剤が印刷された回路基板の次工程への供給が中断されず、次工程の作業が中断されることがない。
（１２）(2)項に記載のスクリーン印刷ラインにより行うスクリーン印刷方法であって、
前記２台のスクリーン印刷機の各々に互いに異なるマスクを取り付け、それら２台のスクリーン印刷機において互いに型番を異にする回路基板への印刷、または互いに同一の型番の回路基板の表面と裏面とへの印刷を並行して行うことを特徴とするスクリーン印刷方法。
型番を異にし、被印刷剤が印刷された２種類の回路基板が並行して得られ、または型番が同じであるが、表面に印刷が行われた回路基板と裏面に印刷が行われた回路基板とが並行して得られる。そのため、被印刷剤が印刷された回路基板に電子回路部品が装着される場合、電子回路部品が装着された異種の回路基板が連続して得られる。あるいは、所定枚数の回路基板の全部について表面への電子回路部品の装着が行われることを待つことなく、裏面への電子回路部品の装着を行うことができ、表裏両面に電子回路部品が装着された回路基板が迅速に得られる。
（１３）(3)項に記載のスクリーン印刷ラインにより行うスクリーン印刷方法であって、
前記３台のスクリーン印刷機の各々に互いに異なるマスクを取り付け、それら３台のスクリーン印刷機において互いに型番を異にする３種類の回路基板への印刷を並行して行うことを特徴とするスクリーン印刷方法。
型番を異にする３種類の回路基板についての被印刷剤の印刷に対応することができる。
（１４）(4)項に記載のスクリーン印刷ラインにより行うスクリーン印刷方法であって、
前記４台のスクリーン印刷機の２台ずつに互いに同一のマスクを取り付け、それら２台ずつのスクリーン印刷機において、互いに型番を異にする回路基板への印刷、または互いに同一の型番の回路基板の表面と裏面とへの印刷を並行して行うことを特徴とするスクリーン印刷方法。
スクリーン印刷ラインにおけるスループット、例えば、スクリーン印刷ラインにおいて単位時間当たりに印刷し得る回路基板の数が、(12)項に記載のスクリーン印刷方法が行われるスクリーン印刷ラインの倍になり、下流側の電子回路部品装着ライン等の対回路基板作業ラインの稼働率が向上する。また、同じ印刷を行う２台のスクリーン印刷機の印刷が同時に中断されない限り、種類を異にする印刷が行われた２種類の回路基板が必ず得られ、次工程においていずれかの種類の回路基板について供給を待つ可能性が低減される。
【図面の簡単な説明】
【００１１】
【図１】請求可能発明の一実施形態であるスクリーン印刷ラインを含む電子回路組立ラインを示す斜視図である。
【図２】上記スクリーン印刷ラインを構成する２台ずつのスクリーン印刷機およびシャトルコンベヤのうちの１台ずつを示す平面図である。
【図３】上記スクリーン印刷機を示す側面図である。
【図４】上記スクリーン印刷機のインコンベヤを概略的に示す平面図である。
【図５】上記インコンベヤを示す側面図であり、図５(a)はストッパ板が退避位置に位置する状態を示す図であり、図５(b)は作用位置に位置する状態を示す図である。
【図６】上記電子回路組立ラインを概略的に示す平面図である。
【図７】上記電子回路組立ラインにおける回路基板へのはんだの印刷および電子回路部品の装着の一態様を説明する図である。
【図８】上記電子回路組立ラインにおける回路基板へのはんだの印刷および電子回路部品の装着の別の態様を説明する図である。
【図９】別の実施形態であるスクリーン印刷ラインを含む電子回路組立ラインにおける回路基板へのはんだの印刷および電子回路部品の装着を説明する図である。
【図１０】さらに別の実施形態であるスクリーン印刷ラインを含む電子回路組立ラインにおける回路基板へのはんだの印刷および電子回路部品の装着を説明する図である。
【発明を実施するための形態】
【００１２】
以下、請求可能発明のいくつかの実施形態を、図を参照しつつ詳しく説明する。なお、請求可能発明は、下記実施形態の他、上記〔発明の態様〕の項に記載された態様を始めとして、当業者の知識に基づいて種々の変更を施した態様で実施することができる。
【００１３】
図１に、請求可能発明の一実施形態であるスクリーン印刷ラインを含む電子回路組立ラインを図示する。本電子回路組立ラインは、複数台、本実施形態においては２台のスクリーン印刷機１０（以後、印刷機１０と略称する）と、１台以上、本実施形態においては２台のシャトルコンベヤ１２と、１台以上、本実施形態においては複数台、例えば、４台の電子回路部品装着機１４（以後、装着機１４と略称する）とを備えている。印刷機１０および装着機１４は、回路基板に対して作業を施す対基板作業機の一種であり、電子回路組立ラインは対基板作業ラインの一種である。２台の印刷機１０は、４台の装着機１４に対して、電子回路組立ラインにおける回路基板の搬送方向において上流側に互いに隣接し、搬送方向に平行に左右に並んで配設され、２台のシャトルコンベヤ１２の一方は２台の印刷機１０の間に設けられ、他方は、最下流の印刷機１０である下流側の印刷機１０の下流側であって、その印刷機１０に隣接する装着機１４との間に設けられている。本実施形態においては、左右方向が回路基板の搬送方向であり、搬送方向と直交する方向を前後方向とする。本実施形態においては、左右方向および前後方向はいずれも水平である。
【００１４】
２台ずつの印刷機１０およびシャトルコンベヤ１２はそれぞれ、同様に構成されており、上流側の印刷機１０およびシャトルコンベヤ１２を代表して説明する。
印刷機１０は、図２および図３に示すように、印刷機本体２０，前コンベヤ２２，後コンベヤ２４，マスク保持装置２６，印刷装置２８および制御装置３０を備えている。本マスク保持装置２６は、印刷機本体２０の、前コンベヤ２２の後述するメインコンベヤの上方に設けられ、マスク支持台３２上に載置されたマスク３４を水平な姿勢で保持する。印刷装置２８は、１対のスキージ４２，それらスキージ４２をマスク３４に沿って前後方向に移動させるスキージ移動装置４４およびスキージ４２を昇降させ、マスク３４に接触，離間させるスキージ昇降装置４６を含み、印刷機本体２０のマスク保持装置２６の上方に設けられている。
【００１５】
前記前コンベヤ２２は、図２に示すように、印刷機本体２０の前部に設けられ、後コンベヤ２４は後部に設けられている。前コンベヤ２２はメインコンベヤ５０と、搬送方向においてメインコンベヤ５０の上流側に配設されたインコンベヤ５２と、下流側に配設されたアウトコンベヤ５４とを含む。メインコンベヤ５０は、コンベヤ装置６０および基板支持装置６２を含む。コンベヤ装置６０は、本実施形態においてはベルトコンベヤにより構成され、１対のコンベヤベルト６４と、それらコンベヤベルト６４をそれぞれ周回させるベルト周回装置６６とを含む。１対のコンベヤベルト６４はそれぞれ、サイドフレーム６８により周回可能に支持され、周回用モータ７０を駆動源とするベルト周回装置６６により同期して周回させられ、回路基板をその被印刷面が水平となる姿勢で搬送する。
【００１６】
１対のサイドフレーム６８の一方（図２においては下側のサイドフレーム６８）は位置を固定して設けられた固定サイドフレーム６８とされ、他方は固定サイドフレーム６８に対して接近，離間可能に設けられた可動サイドフレーム６８とされ、搬送幅変更装置７８により移動させられる。本搬送幅変更装置７８は、図２に示すように、駆動源たる幅変更用モータ８０と、可動サイドフレーム６８が連結されたベルト８２と、固定サイドフレーム６８およびメインコンベヤ５０の本体８３にそれぞれ取り付けられ、ベルト８２が巻き掛けられたプーリ８４とを含む。ベルト８２およびプーリ８４はそれぞれ、タイミングベルトおよびタイミングプーリとされている。複数のプーリ８４のうちの１つが幅変更用モータ８０によって回転させられることによりベルト８２が移動させられ、可動サイドフレーム６８が案内装置（図示省略）により案内されつつ移動させられる。それにより、１対のサイドフレーム６８の間隔が変更され、搬送幅が自動で変更される。
【００１７】
本実施形態において基板支持装置６２は、図３に概略的に示すように、支持部材たる複数の支持ピン９０，ピン支持台９２および支持台昇降装置９４を含み、回路基板９６を下方から支持する。また、本実施形態においては、基板支持装置６２はコンベヤ装置６０と共同して基板クランプ装置を構成し、メインコンベヤ５０が昇降装置（図示省略）によって昇降させられることにより、回路基板９６がマスク３４の下面に接触離間させられる。さらに、図示は省略するが、メインコンベヤ５０にはストッパ装置が設けられている。このストッパ装置は、ストッパ部材と、ストッパ部材を水平面内の任意の位置へ移動させるストッパ部材移動装置とを備え、ストッパ部材が所定の位置に位置させられ、回路基板の下流側端に当接して、その移動を止める。
【００１８】
前記インコンベヤ５２は、図２に示すように、メインコンベヤ５０と同様にコンベヤ装置１００および搬送幅変更装置１０２を備えており、同じ作用を成す構成要素には同一の符号を付して対応関係を示し、説明を省略する。インコンベヤ５２のストッパ装置１１０は、図４および図５に示すように、矩形状のストッパ板１１２と、ストッパ板移動装置たるストッパ板昇降装置１１４とを含み、インコンベヤ５２の搬送方向において下流側端部に設けられている。
【００１９】
ストッパ板昇降装置１１４はエアシリンダ１１６により構成されている。エアシリンダは流体圧アクチュエータの一種である流体圧シリンダであり、駆動源を構成する。エアシリンダ１１６は、図４および図５に示すように、インコンベヤ５２の本体１１８に上向きに設けられ、ピストンロッド１２０の突出端部にストッパ板１１２が取り付けられている。ストッパ板１１２は、その長手方向が搬送幅方向に平行となり、板面が搬送方向と直角であって、鉛直となる姿勢でピストンロッド１２０に取り付けられている。ストッパ板１１２はまた、搬送方向においては、固定サイドフレーム６８および可動サイドフレーム６８から下流側へ外れた位置に配設され、ストッパ板昇降装置１１４はストッパ板１１２より上流側に配設されている。
【００２０】
本印刷機１０において回路基板９６は、図４に示すように、その長手方向が前コンベヤ２２の搬送幅方向に平行となる姿勢で搬送され、ストッパ板１１２は、被印刷剤たるクリーム状はんだ（以後、はんだと略称する）の印刷が予定されている複数種類の回路基板のうち、長さが最も長い回路基板以上の長さとされている。ストッパ板１１２は、長手方向の一端部が固定サイドフレーム６８側に位置し、他端部は可動サイドフレーム６８を超えて延び出させられ、いずれの種類の回路基板についても、その下流側端部の全体に当接して移動を止めることができる。板状のストッパ板１１２は薄く、インコンベヤ５２の下流側端部に設けてもメインコンベヤ５０側へはみ出すことがなく、また、インコンベヤ５２の幅を大きくすることなく、ストッパ装置を設けることができる。
【００２１】
ストッパ板１１２は、ピストンロッド１２０の伸縮により、図５(a)に示すように、インコンベヤ５２による回路基板９６の搬送経路から下方へ退避して回路基板９６の通過を許容する退避位置と、図５(b)に示すように、搬送経路内に位置して回路基板９６に当接し、その移動を止める作用位置とに移動させられる。ストッパ板１１２の昇降は、案内装置１２２により案内される。案内装置１２２は、図５に示すように、ストッパ板１１２の長手方向の両端部にそれぞれ、鉛直方向に延びる姿勢で設けられた１対の被案内部材としてのガイドロッド１２４と、固定サイドフレーム６８と、本体１１８の支持部１２５とにそれぞれ設けられ、ガイドロッド１２４が昇降可能に嵌合された案内部材としてのガイドブロック１２６とを含む。前記アウトコンベヤ５４は、インコンベヤ５２と同様に構成されている。
【００２２】
本印刷機１０においては、インコンベヤ５２およびアウトコンベヤ５４の搬送方向の寸法は、はんだの印刷が予定されている全部の種類の回路基板の搬送方向の寸法のうちの最大寸法より短くされている。そのため、回路基板の種類によっては、ストッパ装置１１０により移動を停止させられた状態において、図２に二点鎖線で示す回路基板９６のように、その搬送方向において上流側の端部がコンベヤ５２，５４から上流側へはみ出す場合がある。このはみ出し量によってはコンベヤ５２，５４の上流側に配設された装置、本実施形態においてはインコンベヤ５２についてはシャトルコンベヤ１２、アウトコンベヤ５４についてはメインコンベヤ５０を作動させることができない場合があり、そのような場合にはコンベヤ５２，５４から回路基板が搬出されるまで上流側装置の作動が禁止される。
【００２３】
前記後コンベヤ２４は前コンベヤ２２と平行に設けられ、図２に示すように、印刷機１０の搬送方向において一方の端から他方の端に至る長さを備えている。後コンベヤ２４は、コンベヤ５２，５４と同様に、コンベヤ装置１３０，搬送幅変更装置１３２およびストッパ装置１３４を備えており、同じ作用を成す構成用要素には同一の符号を付して対応関係を示し、説明を省略する。
【００２４】
印刷機本体２０に設けられた各種装置は、図１に示すようにハウジング１４０により覆われている。ハウジング１４０の天壁部１４２の前部は、開閉可能なカバー１４４とされており、作業者はカバー１４４を開いてハウジング１４０内の装置について作業を行う。
【００２５】
前記制御装置３０はコンピュータを主体として構成され、印刷機１０を構成する各種装置の駆動源等を制御する。駆動源を構成するモータの多くは、電動モータの一種であり、回転角度の正確な制御が可能な電動回転モータであるサーボモータにより構成される。リニアモータにより構成されてもよい。制御装置３０は、電子回路組立ライン全体を制御する統括制御装置１４８（図１参照）により統括して制御される。統括制御装置１４８はコンピュータを主体として構成されている。
【００２６】
前記シャトルコンベヤ１２は、図２に示すように、コンベヤ本体１５０と、可動コンベヤ１５２と、可動コンベヤ移動装置１５４とを含む。可動コンベヤ１５２は、コンベヤ装置１６０，搬送幅変更装置１６２およびストッパ装置１６４を備えている。コンベヤ装置１６０は、前記コンベヤ５２，５４のコンベヤ装置１００と同様に構成され、１対のサイドフレーム１６６にそれぞれ支持されたコンベヤベルト１６８と、周回用モータ１６９を駆動源とし、１対のコンベヤベルト１６８をそれぞれ周回させるベルト周回装置１７０とを含む。
【００２７】
搬送幅変更装置１６２は、幅変更用モータ１７４，ベルト１７６および複数のプーリ１７８を含み、固定サイドフレーム１６６（図２においては下側のサイドフレーム１６６）と支持フレーム１８０とにわたって設けられている。幅変更用モータ１７４の駆動によってベルト１７６が移動させられることにより、ベルト１７６に連結された可動サイドフレーム１６６が固定サイドフレーム１６６と支持フレーム１８０とに対して搬送幅方向ないし前後方向の任意の位置へ移動させられる。なお、サイドフレーム１６６の固定，可動は搬送幅変更上でのことである。
【００２８】
可動コンベヤ移動装置１５４は、図２に示すように、駆動源たるシャトル用モータ１９０，ベルト１９２および複数のプーリ１９４を含む。ベルト１９２はタイミングベルトとされ、プーリ１９４はタイミングプーリとされている。複数のプーリ１９４のうちの１つがシャトル用モータ１９０により回転させられ、ベルト１９２が移動させられることにより、ベルト１９２に連結された固定サイドフレーム１６６および支持フレーム１８０が移動させられるとともに、搬送幅変更装置１６２を介して可動サイドフレーム１６６が共に移動させられ、可動コンベヤ１５２が前後方向の任意の位置へ移動させられる。
【００２９】
１対のサイドフレーム１６６および支持フレーム１８０の移動は、図２に示すように案内装置２００により案内される。案内装置２００は前後方向に配設された１対のガイドロッド２０２を含む。本実施形態においては、ベルト１９２および１対のガイドロッド２０２は前後方向において、印刷機１０の後コンベヤ２４の後方側から前コンベヤ２２を超えて、前コンベヤ２２より前方へ延び出させられ、可動コンベヤ１５２の移動ストロークは、印刷機１０の後コンベヤ２４の後端から前コンベヤ２２の前端までの距離より長くされている。そのため、可動コンベヤ１５２は、図２に実線で示すように、前コンベヤ２２に連なり、回路基板の授受を行う位置より更に前側の位置へ移動させることができる。その状態で作業者は、シャトルコンベヤ１２の前部に設けられたカバー２０４（図１参照）を開き、可動コンベヤ１５２の近くで可動コンベヤ１５２に対する作業を容易に行うことができる。カバー２０４が設けられたシャトルコンベヤ１２のハウジングおよび印刷機１０のハウジング１４０にはそれぞれ、回路基板の受渡しのための開口が設けられている。
【００３０】
ストッパ装置１６４は、図２に示すように、ストッパ部材たるストッパ片２１０と、ストッパ片移動装置たるストッパ片昇降装置２１２とを備え、可動サイドフレーム１６６の下流側端部に設けられている。ストッパ片昇降装置２１２はエアシリンダにより構成され、ストッパ片２１０を、搬送経路内に位置して回路基板に当接可能な作用位置へ下降させ、搬送経路の上方に退避して回路基板の通過を許容する退避位置へ上昇させる。本実施形態においては、シャトルコンベヤ１２は、上流側に隣接する印刷機１０の制御装置３０により制御される。シャトルコンベヤ１２に制御装置を設けてもよい。
【００３１】
前記４台の装着機１４は、本実施形態においては特開２００４−１０４０７５号公報に記載の電子回路部品装着機と同様に構成され、モジュール化されており、図１に一部を示すように、それぞれ、装着機本体２２８，基板搬送装置２３０，基板支持装置２３２（図６参照），部品供給装置２３４，部品装着装置２３６および制御装置２３８等を含み、１枚の回路基板への電子回路部品の装着を分担し、並行して行う。基板搬送装置２３０は、１対のコンベヤ２４０を備えている。これらコンベヤ２４０は、図６に示すように、装着機本体２２８の前後方向に並んで平行に設けられており、前側のコンベヤ２４０（図６においては下側のコンベヤ２４０）を前コンベヤ２４０、後側のコンベヤ２４０を後コンベヤ２４０と称する場合がある。コンベヤ２４０は、本実施形態においてはベルトコンベヤにより構成され、図示を省略する搬送幅変更装置により、搬送幅が自動的に調節される。基板支持装置２３２は２つのコンベヤ２４０の各々について設けられ、いずれのコンベヤ２４０により搬送される回路基板も、基板支持装置２３２により支持され、電子回路部品の装着が行われる。制御装置２３８はコンピュータを主体として構成され、前記統括制御装置１４８により統括して制御される。
【００３２】
以上のように構成された電子回路組立ラインにおいては、種々の態様で回路基板へのはんだの印刷が行われる。その１つを図７に基づいて説明する。
この態様は、２台の印刷機１０において互いに同一の型番の回路基板の表面と裏面とへのはんだの印刷を並行して行う態様であり、装着機１４においては、はんだが印刷された面に応じた電子回路部品の装着が行われる。
【００３３】
本実施形態においては、２台の印刷機１０のうち、上流側の印刷機１０（以後、上流印刷機１０と略称する）により回路基板の表面へのはんだの印刷が行われ、下流側の印刷機１０（以後、下流印刷機１０と略称する）により回路基板の裏面へのはんだの印刷が行われる。２台の印刷機１０においてそれぞれ、回路基板のはんだが印刷される面に応じたマスク３４が保持される。
【００３４】
２台の印刷機１０においてはいずれも、前コンベヤ２２のインコンベヤ５２，アウトコンベヤ５４および後コンベヤ２４に回路基板が搬入されるとき、ストッパ板１１２が作用位置にあって回路基板を止め、回路基板の搬出時には退避位置へ退避させられる。本実施形態においては、ストッパ板１１２が各コンベヤ５２，５４，２４の下流端に設けられているため、回路基板をインコンベヤ５２に、メインコンベヤ５０に隣接する位置まで搬入し、後コンベヤ２４およびアウトコンベヤ５４に、シャトルコンベヤ１２に隣接する位置まで搬入し、待機させておくことができる。そのため、回路基板のメインコンベヤ５０およびシャトルコンベヤ１２への搬入を迅速に行うことができる。
【００３５】
また、２台のシャトルコンベヤ１２のうち、隣接する２台の印刷機１０の間に配置された上流側のシャトルコンベヤ１２の可動コンベヤ１５２（以後、上流可動コンベヤ１５２と称する場合がある）は、図７(a)に実線で示すように、上流側，下流側の両印刷機１０の各前コンベヤ２２との前後方向の位置が一致し、前コンベヤ２２に連なる前コンベヤ対応位置と、二点鎖線で示すように、両印刷機１０の各後コンベヤ２４との前後方向の位置が一致し、後コンベヤ２４に連なる後コンベヤ対応位置とに移動させられる。なお、隣接する印刷機１０の前同士のコンベヤ２２間，後同士のコンベヤ２４間に前後方向の位置ずれがあっても、上流可動コンベヤ１５２を上，下流の各前コンベヤ２２、上，下流の各後コンベヤ２４にそれぞれ連なる位置に停止させることにより、位置ずれを補って回路基板の受渡しを行うことができる。前同士、後同士のコンベヤ２２，２４間の位置ずれは、印刷機１０の位置ずれと、コンベヤ２２，２４の印刷機１０における位置ずれとの少なくとも一方により生じるが、いずれによる位置ずれも補われ、コンベヤ２２，２４の印刷機１０における設置も、印刷機１０の設置も容易となる。
【００３６】
さらに、下流印刷機１０と、最上流の装着機１４との間に配置された下流側のシャトルコンベヤ１２の可動コンベヤ１５２（以後、下流可動コンベヤ１５２と称する場合がある）は、図７(b)に実線で示すように、下流印刷機１０の後コンベヤ２４と連なる印刷機後コンベヤ対応位置と、一点鎖線で示すように最上流の装着機１４の後コンベヤ２４０と連なる装着機後コンベヤ対応位置と、破線で示すように下流印刷機１０の前コンベヤ２２と連なる印刷機前コンベヤ対応位置と、二点鎖線で示すように最上流の装着機１４の前コンベヤ２４０と連なる装着機前コンベヤ対応位置とに移動させられる。いずれの可動コンベヤ１５２においても、回路基板の搬入時にはストッパ片２１０が作用位置に位置させられ、搬出時には退避位置へ退避させられる。下流可動コンベヤ１５２の移動位置が任意であり、位置ずれが補われることにより、下流印刷機１０におけるコンベヤ２２，２４の設置，下流印刷機１０の設置，最上流の装着機１４（下流印刷機１０から回路基板が供給される装着機１４）における前，後のコンベヤ２４０の設置およびその装着機１４の設置が容易となる。
【００３７】
１種類目の型番甲の回路基板（以後、基板甲と略称する）は、まず、図７(a)に示すように、上流印刷機１０に表面を上にして供給され、インコンベヤ５２により、その下流端まで搬入される。メインコンベヤ５０への基板甲の搬入が可能な状態になれば、ストッパ板１１２が退避させられ、インコンベヤ５２およびメインコンベヤ５０が作動させられて、基板甲がインコンベヤ５２からメインコンベヤ５０に搬入され、はんだが印刷される。印刷装置２８によるはんだの印刷はよく知られており、説明を省略する。
【００３８】
印刷終了後、基板甲はメインコンベヤ５０からアウトコンベヤ５４へ搬出され、アウトコンベヤ５４の下流端においてストッパ板１１２に当接し、停止させられる。基板甲は、上流可動コンベヤ１５２が前コンベヤ対応位置に位置する状態で、アウトコンベヤ５４から可動コンベヤ１５２へ搬出され、可動コンベヤ１５２の下流端まで搬送される。回路基板の移載後、上流可動コンベヤ１５２は後コンベヤ対応位置へ移動させられ、はんだの印刷が済んだ基板甲を下流印刷機１０の後コンベヤ２４に移載する。移載は後コンベヤ２４が空の状態で行われ、回路基板は後コンベヤ２４の下流端まで搬送され、下流可動コンベヤ１５２への移載に備えて待機させられる。そして、下流可動コンベヤ１５２が印刷機後コンベヤ対応位置に位置させられた状態において、基板甲が後コンベヤ２４から下流可動コンベヤ１５２に移載される。印刷の済んだ回路基板は後コンベヤ２４により印刷機１０の通過を許容され、印刷装置２８が設けられた印刷部をバイパスさせられるのであり、回路基板の搬送と印刷とが並行して行われる。
【００３９】
回路基板の移載後、下流可動コンベヤ１５２は装着機後コンベヤ対応位置へ移動させられ、基板甲を最上流の装着機１４の後コンベヤ２４０へ送り込み、部品装着装置２３６により、基板甲の表面に電子回路部品の装着が行われる。以後、基板甲は、４台の装着機１４の各後コンベヤ２４０により搬送され、電子回路部品が装着される。
【００４０】
表面への電子回路部品の装着が済んだ基板甲は、図７(b)に破線の矢印で示すように、裏面を上向きにされ、上流印刷機１０の後コンベヤ２４に供給され、その下流端まで搬送される。基板甲は後コンベヤ２４により上流印刷機１０を通過させられるのであり、上流可動コンベヤ１５２が後コンベヤ対応位置に位置する状態で上流可動コンベヤ１５２に移載される。移載後、上流可動コンベヤ１５２が前コンベヤ対応位置へ移動させられ、基板甲は下流印刷機１０のインコンベヤ５２に移載され、インコンベヤ５２からメインコンベヤ５０に搬入されて裏面にはんだが印刷される。
【００４１】
印刷後、基板甲はメインコンベヤ５０からアウトコンベヤ５４へ搬出され、さらに下流可動コンベヤ１５２が印刷機前コンベヤ対応位置に位置させられた状態で下流可動コンベヤ１５２に移載される。移載後、下流可動コンベヤ１５２が装着機前コンベヤ対応位置へ移動させられ、基板甲が装着機１４の前コンベヤ２４０へ送り込まれ、部品装着装置２３６により、裏面に電子回路部品が装着される。基板甲は４台の装着機１４の各前コンベヤ２４０により搬送され、順次、裏面に電子回路部品が装着される。基板甲の表面と裏面とへのはんだの印刷が並行して行われ、はんだが表面に印刷された基板甲および裏面に印刷された基板甲が装着機１４に供給される。これら基板甲への電子回路部品の装着は、複数台、本実施形態においては４台の装着機１４を含む装着機列において並行して行われる。
なお、以上の説明においては、基板甲の表面への電子回路部品の装着が後コンベヤ２４０において、裏面への装着が前コンベヤ２４０においてそれぞれ行われるものとしたが、逆にすることも可能である。その場合には、基板甲の表面への印刷が下流印刷機１０において行われるようにする方が、上流および下流のシャトルコンベヤ１２における可動コンベヤ１５２の移動距離が少なくて済み、搬送能率が高くなる。
【００４２】
設定枚数の基板甲の表面への電子回路部品の装着が終了すれば、次に、異なる型番乙の回路基板の表裏両面への電子回路部品の装着が行われる。そのため、図７(c)に示すように、上流印刷機１０において段取替えが行われ、マスク３４の交換，回路基板の搬送幅の変更等が行われる。搬送幅の変更は、上流印刷機１０の前コンベヤ２２および下流印刷機１０の後コンベヤ２４について行われる。この間、段取替えと並行して、基板甲の裏面へのはんだの印刷および電子回路部品の装着が行われる。
【００４３】
段取替えが終了すれば、図７(d)に示すように、基板乙の表面へのはんだの印刷および電子回路部品の装着が開始され、２種類の回路基板へのはんだの印刷が並行して行われる。そのため、２台のシャトルコンベヤ１２の各可動コンベヤ１５２については、基板甲と乙とのいずれを搬送するかに応じて搬送幅が変更される。変更は、可動コンベヤ１５２が回路基板の受取りを行うコンベヤ対応位置に到達する前、すなわち、コンベヤ対応位置への移動中と移動開始前との少なくとも一方において行われる。それにより、幅変更のために回路基板の移載に要する時間が増大することが回避され、スクリーン印刷ラインの稼働率の低下が抑制される。
【００４４】
全部の基板甲の裏面への電子回路部品の装着が終了すれば、図７(e)に示すように下流印刷機１０について段取替えが行われ、基板乙の裏面へのはんだの印刷が行われるようにされる。この際、下流印刷機１０の前コンベヤ２２および上流印刷機１０の後コンベヤ２４について搬送幅の変更が行われる。この段取替えと並行して基板乙の表面へのはんだの印刷および電子回路部品の装着が行われており、段取替えが終了すれば、図７(f)に示すように、表面への電子回路部品の装着が済んだ基板乙が裏面を上向きにして上流印刷機１０の後コンベヤ２４に供給される。このように２台の印刷機１０の一方の段取替えと他方の印刷とが並行して行われるため、印刷機１０の都合により、装着機１４における電子回路部品の装着を停止させずに済む。
【００４５】
本電子回路組立ラインにおいては、図８(a)に示すように、２台の印刷機１０により、同じ型番の回路基板の同じ側の面へのはんだの印刷を並行して行うこともできる。この場合、２台の印刷機１０においてそれぞれ、同一のマスク３４が保持され、例えば、基板甲の表面にはんだが印刷される。そして、上流印刷機１０と下流印刷機１０とに交互に基板甲が供給される。上流印刷機１０においてはんだが印刷された基板甲は、上流シャトルコンベヤ１２，下流印刷機１０の後コンベヤ２４および下流シャトルコンベヤ１２によって装着機１４の後コンベヤ２４０へ搬送され、電子回路部品が装着される。
【００４６】
下流印刷機１０においてはんだが印刷される基板甲は、上流印刷機１０の後コンベヤ２４に供給され、上流シャトルコンベヤ１２によって下流印刷機１０の前コンベヤ２２に搬入され、はんだが印刷される。そして、基板甲は下流シャトルコンベヤ１２によって装着機１４の前コンベヤ２４０に搬入され、電子回路部品が装着される。
【００４７】
このように２台の印刷機１０により、同じ型番の回路基板の同じ側の面に並行してはんだの印刷が行われる場合、図８(b)に示すように、一方の印刷機１０において印刷が中断される場合、例えば、マスク３４の清掃あるいはマスク３４上へのはんだの供給が行われる場合でも、表面にはんだが印刷された回路基板が得られる。
【００４８】
スクリーン印刷ラインは、スクリーン印刷機を３台含むラインとしてもよい。そのスクリーン印刷ラインにおけるはんだ印刷の一態様を図９に基づいて説明する。
本実施形態の電子回路組立ラインは、印刷機１０が３台、１列に並んで設けられるとともに、隣接する印刷機１０の間と、最上流の印刷機１０の上流側と、最下流の印刷機１０の下流側とにそれぞれ、シャトルコンベヤ１２が１台ずつ設けられている。最上流のシャトルコンベヤ１２は、最上流の印刷機１０の制御装置３０により制御される。また、最上流シャトルコンベヤ１２の上流側に基板供給装置２６０が設けられるとともに、それらの間に基板識別装置２６２が設けられている。基板供給装置２６０および基板識別装置２６２は、統括制御装置１４８により制御される。
【００４９】
基板供給装置２６０により、例えば、それぞれ型番を異にする３種類の回路基板Ａ，Ｂ，Ｃが供給される。これら基板Ａ，Ｂ，Ｃは、搬送幅方向の寸法は同じである。また、図示は省略するが、基板Ａ，Ｂ，Ｃにはそれぞれ、基板識別子たる基板識別コードが設けられ、基板識別情報が付与されている。基板識別コードは、例えば、二次元コードにより構成され、回路基板の型番，寸法等が記録されている。基板識別装置２６２は、コンベヤ２６６と、二次元コードを読み取る識別装置たる読取装置２６８とを備えている。読取装置２６８は、例えば、撮像装置を含む。３台の印刷機１０においてはそれぞれ、上流側から順に、基板Ａ，Ｂ，Ｃにはんだを印刷するための異なるマスク３４が保持される。
【００５０】
基板供給装置２６０による基板Ａ，Ｂ，Ｃの供給は、順序を定めることなく行われる。そのため、回路基板はまず、部品供給装置２６０から基板識別装置２６２のコンベヤ２６６に供給され、読取装置２６８によって基板識別コードが読み取られる。この読取結果は統括制御装置１４８へ送られ、回路基板の種類が取得される。基板種類の取得により、３台の印刷機１０のうちのいずれがはんだの印刷を行うべきか、および４台のシャトルコンベヤ１２がいずれのコンベヤとの間で回路基板の受渡しを行うべきかが決まり、統括制御装置１４８から３台の印刷機１０の各制御装置３０に制御指令が出力される。
【００５１】
最上流のシャトルコンベヤ１２の可動コンベヤ１５２は、基板識別装置２６２のコンベヤ２６６に連なるコンベヤ対応位置へ移動させられ、回路基板を受け取る。例えば、基板Ａが供給されたのであれば、最上流印刷機１０においてはんだが印刷され、図９に実線の矢印で示すように、下流側の２台の印刷機１０においては後コンベヤ２４により搬送されて通過させられ、装着機１４の後コンベヤ２４０に搬入される。また、基板Ｃが供給されたのであれば、図９に二点鎖線の矢印で示すように、上流側の２台の印刷機１０においては後コンベヤ２４により搬送されて通過させられ、最下流の印刷機１０においてはんだが印刷され、装着機１０の前コンベヤ２４０に搬入される。基板Ｂが供給されたのであれば、図８に破線の矢印で示すように中流の印刷機１０において印刷が行われ、最上流および最下流の印刷機１０は通過させられ、装着機１４の後コンベヤ２４０に搬入される。このように、４台のシャトルコンベヤ１２の各可動コンベヤ１５２は基板Ａ，Ｂ，Ｃへのはんだの印刷，印刷機１０の通過，装着機１４への搬入が行われるように作動させられる。
印刷機を４台以上設け、４種類以上の回路基板が順序不定で供給されて印刷剤が印刷されるようにしてもよい。
【００５２】
後コンベヤ２４および可動コンベヤ１５２は搬送幅が自動的に変更されるため、搬送幅方向の寸法が異なる複数種類の回路基板について任意の順序で、あるいは順序を定めることなく、はんだの印刷を行うことができる。この場合、基板供給装置が、複数種類の回路基板のうち任意の順序で指定されるものを供給し得るものとされるか、基板供給装置内に基板識別装置が設けられ、現に供給される回路基板の種類が取得されるようにされることが望ましい。いずれにしても搬送すべき回路基板の種類に応じて４台の可動コンベヤ１５２および３台の後コンベヤ２４の搬送幅が変更されつつ、回路基板の受渡しが行われる。
【００５３】
また、最上流の印刷機の上流側に配設されたシャトルコンベヤに基板識別装置を設けてもよい。搬送幅が同じである複数種類の回路基板が順序不定で最上流シャトルコンベヤの可動コンベヤに搬入され、基板識別コードの読取りが行われ、搬入された回路基板の種類が取得される。そして、回路基板の種類に応じて、複数台の印刷機およびシャトルコンベヤの作動が決められる。
【００５４】
スクリーン印刷ラインはスクリーン印刷機を４台含むラインとしてもよい。そのスクリーン印刷ラインにおけるはんだ印刷の一態様を図１０に基づいて説明する。
本スクリーン印刷ラインは、４台の印刷機１０のうち、隣接する印刷機１０の間にそれぞれシャトルコンベヤ１２が設けられるとともに、最下流の印刷機１０の下流側にシャトルコンベヤ１２が設けられている。そして、上流側の２台の印刷機１０に互いに同一のマスクが取り付けられ、基板甲の表面へのはんだの印刷が行われ、下流側の２台の印刷機１０に互いに同一のマスクが取り付けられ、基板甲の裏面へのはんだの印刷が行われる。
【００５５】
まず、図１０(a)に示すように、基板甲の表面へのはんだの印刷が行われる。この印刷は、図８に基づいて説明した印刷と同様に行われ、表面への印刷の済んだ基板甲は、下流側の印刷機１０を通過して装着機１４の前，後コンベヤ２４０に交互に供給される。表面へのはんだの印刷が済んだ基板甲は、図１０(b)に破線の矢印で示すように、上流側の２台の印刷機１０を通過し、下流側の２台の印刷機１０に交互に供給され、裏面にはんだが印刷される。印刷が済んだ基板甲は、装着機１４の前，後コンベヤ２４０に交互に供給される。本実施形態は、図８に示す印刷態様を回路基板の表裏両面について行う形態であり、２枚ずつの回路基板の表面と裏面とへのはんだの印刷が並行して行われ、４枚の回路基板について印刷が並行して行われる。
【符号の説明】
【００５６】
１０：スクリーン印刷機    １２：シャトルコンベヤ    ２２：前コンベヤ    ２４：後コンベヤ    ５０：メインコンベヤ    ５２：インコンベヤ    ５４：アウトコンベヤ    １１０：ストッパ装置    １５２：可動コンベヤ
【図１】
2011235584.tif 000003
【図２】
2011235584.tif 000004
【図３】
2011235584.tif 000005
【図４】
2011235584.tif 000006
【図５】
2011235584.tif 000007
【図６】
2011235584.tif 000008
【図７】
2011235584.tif 000009
【図８】
2011235584.tif 000010
【図９】
2011235584.tif 000011
【図１０】
2011235584.tif 000012